(57)【特許請求の範囲】
【請求項１】
上端に開口部を形成した容器と，
前記容器内に収納されるグリコール類を主原料とした液体燃料と，
前記容器の開口部に嵌合し、該開口部を塞ぐ内蓋と，
前記内蓋に取り付けられ、先端が外部に突出し後端が前記容器内の前記液体燃料内に浸漬するセラミック製合成紙からなり、非接触状態に並べ、前記液体燃料内に浸漬する前記後端の長さを違えて設けた二条の芯と，
前記内蓋を覆う蓋体とによって構成してなる火力調節可能な液体燃料の燃焼器具。
【請求項２】
上記二条の芯を形成するセラミック製合成紙は、シリカとアルミナの複合材料に、線状に形成したガラスとセルロースを混入し、紙状に漉いて所定厚さに形成したものである請求項１に記載の火力調節可能な液体燃料の燃焼器具。
【請求項３】
上記二条の芯は、相対向させて設けたものである請求項１又は２に記載の火力調節可能な液体燃料の燃焼器具。
【請求項４】
上記二条の芯は、相隣り合わせて設けたものである請求項１又は２に記載の火力調節可能な液体燃料の燃焼器具。
【発明の詳細な説明】
【０００１】
【発明の属する技術分野】
本発明は、ホテル・旅館やパーティー会場で使用される料理保温用の燃焼器具に係り、特に、製造作業が容易で、安定した火力が得られる火力調節可能な液体燃料の燃焼器具に関する。
【０００２】
【従来の技術】
ホテル・旅館やパーティー会場で使用される調理済みの料理の保温用の燃焼器具としては、従来、金属製の缶に収納されたアルコール固形燃料が使用されていた。この缶入りのアルコール固形燃料は、消防法で定めるところの第２類引火性固体に該当し、引火点が１１℃と低いため、缶入アルコール固形燃料を商品として大量に在庫することが禁止されており、少量しか貯蔵して置くことができない。また、ホテル・旅館やパーティー会場で調理済みの料理の保温用の燃焼器具として使用し、アルコール固形燃料が燃焼している最中（着火しているまま）、アルコール固形燃料が収納されている缶ごと移動する場合、慎重な取扱いが要求されていた。
【０００３】
また、このような金属製の缶に収納されたアルコール固形燃料の場合、燃焼状態が、使用し初めに燃焼炎が大きく、アルコール固形燃料が少なくなるにしたがって、燃焼炎が小さくなり火力が安定しないため、缶入アルコール固形燃料を使用する目的が限定されていた。そこで、近年、図７に示す如く、グリコール類を主原料とした液体燃料を金属製の缶の中に収納した缶入液体燃料が取扱いの簡便性や燃焼時の火力の安定性という点で優れていることから使用され始めている。この液体燃料を金属製の缶の中に収納した燃焼器具１は、缶２内にグリコール類の液体燃料を収納し、缶２の上部中央に芯３を突出して設け、この芯３によって缶２内の液体燃料（グリコール類）を吸い上げ、芯３に着火することによって液体燃料を燃焼させる。芯３の先端の火炎を消す場合は、キャップ４を芯３の先端に被せることによって行うことができる。
【０００４】
この缶２内に収納されたグリコール類を主原料とした液体は、消防法で定めるところの第４類第３石油類に属し、引火点が１５０℃〜１２０℃とアルコール固形燃料に比較して高く、グリコール類を主原料とした液体燃料を金属製の缶の中に収納し、この缶に収納した液体燃料を缶より突出した芯によって燃焼させる簡易型の燃焼器具は、大量に在庫することが可能で、大量に貯蔵して置くことができる。
【０００５】
このようにグリコール類の液体燃料を缶２内に収納する燃焼器具は、使用する液体燃料の引火点が１５０℃〜１２０℃とアルコール固形燃料に比較して高く、液体燃料に直接着火しても着火しにくいため、芯を使用して液体を吸い上げて、その芯の部分で燃焼させる方法が採られている。このため、液体燃料を缶内に収納する燃焼器具を誤ってひっくり返したりした場合に、缶内に収納した液体燃料が流れ出すことが少なく、万一、缶内に収納した液体燃料が流れ出しても、引火点が高いため流れ出した液体燃料に直ちに着火するようなことがなく、アルコール固形燃料と比較すると炎が広がる心配が極めて少ない。このため、液体燃料を収納した燃焼器具（缶）を移動することを容易に行うことができる。
【０００６】
【発明が解決しようとする課題】
このような缶入液体燃料の燃焼器具を用いた調理済みの料理の保温の場合、当初は強い火力を必要とするが、調理済みの料理が少なくなると、保温のために強い火力を必要としなくなってくる。
【０００７】
ところが、従来の液体燃料を缶の中に収納した缶入液体燃料の燃焼器具にあっては、一旦、芯３に火を付けると、燃料が無くなるまで一定の火力で燃焼し、火力の調節ができないものであった。
【０００８】
本発明の目的は、当初、強い火力を得、一定時間経過後、火力を弱めることのできる火力調節可能な液体燃料の燃焼器具を提供することにある。
【０００９】
【課題を解決するための手段】
請求項１に記載の発明に係る火力調節可能な液体燃料の燃焼器具は、上端に開口部を形成した容器と，前記容器内に収納されるグリコール類を主原料とした液体燃料と，前記容器の開口部に嵌合し、該開口部を塞ぐ内蓋と，前記内蓋に取り付けられ、先端が外部に突出し後端が前記容器内の前記液体燃料内に浸漬するセラミック製合成紙からなり、非接触状態に並べ、前記液体燃料内に浸漬する前記後端の長さを違えて設けた二条の芯と前記内蓋を覆う蓋体とによって構成したものである。
このように構成することにより、請求項１に記載の発明によると、当初、強い火力を得、一定時間経過後、火力を弱めることができる。
【００１０】
請求項２に記載の発明に係る火力調節可能な液体燃料の燃焼器具は、二条の芯を形成するセラミック製合成紙を、シリカとアルミナの複合材料に、線状に形成したガラスとセルロースを混入し、紙状に漉いて所定厚さに形成したものである。
このように構成することにより、請求項２に記載の発明によると、芯を紙状に形成できるため芯の形状を自由に構成することができ、ガラス繊維を切り整える必要がなく、ガラス繊維の細かなダストが飛んだりするのをなくし、作業性の低下を防止することができる。
【００１１】
請求項３に記載の発明に係る火力調節可能な液体燃料の燃焼器具は、二条の芯を、相対向させて設けたものである。
このように構成することにより、請求項３に記載の発明によると、１つの炎として強い火力と弱い火力とを得ることができる。
【００１２】
請求項４に記載の発明に係る火力調節可能な液体燃料の燃焼器具は、二条の芯を、相隣り合わせて設けたものである。
このように構成することにより、請求項４に記載の発明によると、幅広い炎の強い火力と弱い火力とを得ることができる。
【００１３】
【発明の実施の形態】
以下、本発明に係る実施の形態について説明する。
図１〜図６には、本発明に係る液体燃料の燃焼器具の実施の形態の一例が示されている。
図において、燃焼器具１０は、容器１１と、液体燃料１２と、内蓋１３と、二条に設けられた芯１４、１５と、蓋体１６とによって構成されている。
【００１４】
容器１１は、図３、図４に示す如く、下端が塞がれた円筒状の缶によって構成されている。この容器１１は、液体燃料１２と化学反応を起こすことのない材質、例えば金属製でできており、上端に開口部１７が形成されており、この開口部１７と周端１８との間に２つの周縁１９，２０が形成されている。この周縁１９，２０は、蓋体１６を密に嵌合するためのもので、高さが周端１８より少し低く形成されている。これは、蓋体１６を周縁１９，２０に嵌着した際に、蓋体１６が周端１８より突出しないようにするためである。
【００１５】
液体燃料１２は、グリコール類を主原料とした液体燃料で、図２に示す如く、容器１１内に適量（容器１１内に封入しても問題が生じない最大の量）を収納するようになっている。このグリコール類は、エチレングリコールを代表とする１分子中にヒドロキシル基を２個もっている脂肪族化合物（二価アルコール）の総称であり、常温において液体で、アルコールとしての性質を有する可燃性の物質である。
【００１６】
内蓋１３は、容器１１の開口部１７に嵌着し、開口部１７を塞ぐように設けられている。この内蓋１３は、シャーレ状に形成され、周端部にフランジ２１が形成されている。また、内蓋１３の中心点を通る位置には、矩形状に形成される２つの開口２２、２３が設けられている。そして、この開口２２には、開口２２から下方に突出するフランジ状の突出筒２４が形成されている。この開口２２には、芯１４が嵌着されており、突出筒２４は、この開口２２に嵌着された芯１４を安定して挿着するためにガイドするためのものである。また、この開口２３には、開口２３から下方に突出するフランジ状の突出筒２５が形成されている。この開口２３には、芯１５が嵌着されており、突出筒２５は、この開口２３に嵌着された芯１５を安定して挿着するためにガイドするためのものである。
【００１７】
芯１４と芯１５は、セラミック製合成紙によって構成され、芯１４は、内蓋１３の開口２２に密に嵌装されている。すなわち、この芯１４は、先端が内蓋１３から外部に突出し、容器１１内に収納された液体燃料１２内に浸漬されている。また、芯１５は、内蓋１３の開口２３に密に嵌装されている。すなわち、この芯１５は、先端が内蓋１３から外部に突出し、容器１１内に収納された液体燃料１２内に浸漬されている。そして、この芯１４と芯１５の厚さは同じ厚さに形成されており、芯１４と芯１５の長さは、異なった長さになっている。すなわち、芯１４の容器１１内に収納された液体燃料１２内に浸漬する長さは、芯１５の容器１１内に収納された液体燃料１２内に浸漬する長さの半分の長さになっている。したがって、芯１４と芯１５に点火したときの火力は、芯１４だけに点火したときの火力、芯１５だけに点火したときの火力の倍の火力となる。
【００１８】
また、このように芯１４の容器１１内に収納された液体燃料１２内に浸漬する長さが、芯１５の容器１１内に収納された液体燃料１２内に浸漬する長さの半分の長さにすることによって、容器１１内に収納された液体燃料１２が燃焼し、図６に示す如く、芯１４の容器１１内に収納された部分が液体燃料１２内に浸漬しなくなると、芯１４への液体燃料１２の吸い上げはなくなり、芯１４の炎は消失する。これによって火力は半減する。このように一定時間経過後に火力を調整することができる。
【００１９】
また、芯１４の容器１１内に収納された液体燃料１２内に浸漬する長さを、芯１５の容器１１内に収納された液体燃料１２内に浸漬する長さの１／３の長さにすると、点火した後、芯１４と芯１５に点火して使用させたときの１／３の時間のところで火力を半減させることができる。このように芯１４の容器１１内に収納された液体燃料１２内に浸漬する長さを調整することで、火力の調整を時間によって行うことができる。このように一定時間経過後に火力を例えば半分に小さく調整することによって燃料を節約することが可能になり、かつ燃料を節約することができるため容器をコンパクト化することができる。
【００２０】
また、芯の長さを調節することで、強火の時間を調節することが自由に設定することが可能となり、芯１４の容器１１内に収納された液体燃料１２内に浸漬する長さと、消費される液体燃料１２の量によって強火の時間を調節することになる。したがって、芯１４と芯１５に点火することによって消費される液体燃料１２の液面が、芯１４に浸漬しなくなるまでの時間が強火の時間になる。
【００２１】
なお、本実施の形態においては、芯を二条設ける例が示されているが、芯を三条設けてもよく、この場合は、３つの芯の長さを変えることによって段階的に火力を小さくすることができ、ホテル・旅館やパーティー会場で大きな容器に収納されている調理済みの料理の保温用に使う場合に適している。
【００２２】
この芯１４、芯１５を構成しているセラミック製合成紙は、シリカ（ＳｉＯ２）とアルミナ（Ａｌ2 Ｏ3 ）の複合材料に、線状に形成したガラスとセルロースを混入し、紙状に漉いて所定厚さに形成したものである。この芯１４、芯１５を構成するセラミック製複合紙は、厚さに特に限定はないが、液体燃料の吸い上げ等を考慮すると、厚さ３．００m/m前後に形成するのが最も適している。このようにセラミック製複合紙によって芯１４を構成することによって、芯１４、芯１５は、耐熱性に優れ、加熱によって芯１４、芯１５からガスが発生したり異臭が発生することがなくなり、加熱後の強度変化の少ない芯を構成することができる。
そして、この燃焼器具１０の火力は、芯１４、芯１５の内蓋１３の外部に突出する面積の大きさによって決定され、この内蓋１３の外部に突出する芯１４、芯１５の面積の大きさは、所定の厚さ（例えば、３．００m/m）に成形したシート状のセラミック製合成紙を複数枚重ね合せることによって確保できる。
【００２３】
また、シート状に形成したセラミック製合成紙を長方形状に成形する芯１４、芯１５は、打抜加工が容易であるため、いかなる形状にも芯を形成することができ、熱伝導率が低く、粉塵の発生も少なく、ガラス繊維製の細かなダストが飛ぶこともなく、容易に取り扱うことができる。芯１４、芯１５を構成するセラミックのバインダーとして使用されているガラスがポーラス状となり、液体を吸い上げることができ、ガラス繊維製の芯と同様の効果が得られる。
【００２４】
蓋体１６は、内蓋１３を覆うもので、図１、図２に示す如く、周端部より内側に下方にリング状に突出する周縁２６が形成されている。この周縁２６は、容器１１の周縁１９と周縁２０の間に嵌合し、内蓋１３を覆い、密封する作用を持っている。
【００２５】
このように構成されているから、燃焼器具１０の容器１１から蓋体１６を外し、内蓋１３に取り付けられた芯１４、芯１５を露出し、芯１４、芯１５の先端に吸い上げられた液体燃料１２に着火する。この芯１４、芯１５に着火されると、燃焼は内蓋１３から外部に露出した芯１４、芯１５全体に広がり、燃焼面積は、内蓋１３の外部に露出した芯１４、芯１５の露出全面積に及ぶ。したがって、燃焼器具１０の火力を大きくするには、芯１４、芯１５の内蓋１３の外部に露出する露出面積を大きくすればよい。
【００２６】
【発明の効果】
本願請求項１に記載の発明によれば、当初、強い火力を得、一定時間経過後、火力を弱めることができる。
【００２７】
本願請求項２に記載の発明によれば、芯を紙状に形成できるため芯の形状を自由に構成することができ、ガラス繊維を切り整える必要がなく、ガラス繊維の細かなダストが飛んだりするのをなくし、作業性の低下を防止することができる。
【００２８】
本願請求項３に記載の発明によれば、１つの炎として強い火力と弱い火力とを得ることができる。
【００２９】
本願請求項４に記載の発明によれば、幅広い炎の強い火力と弱い火力とを得ることができる。
【図面の簡単な説明】
【図１】本発明に係る液体燃料を用いた燃焼器具の一実施の形態を示す全体斜視図である。
【図２】図１に図示の液体燃料を用いた燃焼器具の断面図である。
【図３】図１に図示の容器の全体斜視図である。
【図４】図３に図示の容器の略中央断面斜視図である。
【図５】図１に図示の内蓋の全体斜視図である。
【図６】図１に図示の液体燃料を用いた燃焼器具で、一方の芯が液体燃料に浸漬しなくなった状態を示す図である。
【図７】従来の液体燃料を用いた燃焼器具の全体斜視図である。
【符号の説明】
１０………………………………………………………燃焼器具
１１……………………………………………………………容器
１２………………………………………………………液体燃料
１３……………………………………………………………内蓋
１４………………………………………………………………芯
１５………………………………………………………………芯
１６……………………………………………………………蓋体
１７…………………………………………………………開口部
１８……………………………………………………………周端
１９，２０……………………………………………………周縁
２１………………………………………………………フランジ
２２，２３……………………………………………………開口
２４，２５…………………………………………………突出筒
２６……………………………………………………………周縁
【図１】
0003685986.tif 000002
【図２】
0003685986.tif 000003
【図３】
0003685986.tif 000004
【図４】
0003685986.tif 000005
【図５】
0003685986.tif 000006
【図６】
0003685986.tif 000007
【図７】
0003685986.tif 000008